【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
装置において、
異なる周波数における複数の搬送波上で、ワイヤレスデバイスに送られる送信を含む入力無線周波数（ＲＦ）信号を受け取って増幅し、増幅されたＲＦ信号を提供するように構成されている増幅器回路と、
前記増幅器回路に結合されている１次コイルと複数の出力ＲＦ信号を提供する複数の２次コイルとを備えるトランスと、
前記複数の出力ＲＦ信号を、異なる周波数における複数の局部発振器（ＬＯ）信号によりダウンコンバートするように構成されている複数のダウンコンバータとを具備する装置。
【請求項２】
前記トランスは、第１および第２の出力ＲＦ信号をそれぞれ提供する、第１および第２の２次コイルを備える請求項１記載の装置。
【請求項３】
前記１次コイルは、前記増幅されたＲＦ信号を受け取る第１の端と、電源に結合されている第２の端とを有し、
または、
前記１次コイルは、前記増幅されたＲＦ信号を受け取るセンタータップと、電源に結合されている２つの端とを有する請求項１記載の装置。
【請求項４】
前記複数の２次コイルは、複数の導線により実現され、ぞれぞれの２次コイルに対して１つの導線であり、それぞれの導線は、前記複数の導線の中の残りの導線から電気的に分離されている請求項１記載の装置。
【請求項５】
前記複数のダウンコンバータのそれぞれは、前記複数の出力ＲＦ信号のうちの１つと前記複数のＬＯ信号のうちの１つとを受け取り、１セットの搬送波に対して同位相（Ｉ）および直角位相（Ｑ）のダウンコンバートされた信号のペアを提供するように構成されているミキサのペアを備える請求項１記載の装置。
【請求項６】
前記複数のダウンコンバータは、
第１の出力ＲＦ信号を、第１の周波数における第１のＬＯ信号によりダウンコンバートするように構成されているミキサの第１のペアを含む第１のダウンコンバータと、
第２の出力ＲＦ信号を、前記第１の周波数とは異なる第２の周波数における第２のＬＯ信号によりダウンコンバートするように構成されているミキサの第２のペアを含む第２のダウンコンバータとを備える請求項１記載の装置。
【請求項７】
前記増幅器回路は、
前記入力ＲＦ信号を受け取るように構成されている利得トランジスタと、
前記利得トランジスタに結合され、前記増幅されたＲＦ信号を提供するように構成されているカスコードトランジスタと、
前記利得トランジスタのソースと回路グラウンドとの間に結合されているインダクタとを備える請求項１記載の装置。
【請求項８】
前記増幅器回路は、 
回路グラウンドに結合されているソースを有し、前記入力ＲＦ信号を受け取るように構成されている利得トランジスタと、
前記利得トランジスタに結合され、前記増幅されたＲＦ信号を提供するように構成されているカスコードトランジスタとを備える請求項１記載の装置。
【請求項９】
前記増幅器回路の出力と入力との間に結合されているフィードバック回路をさらに具備し、
前記フィードバック回路は、抵抗器、キャパシタ、またはトランジスタのうちの少なくとも１つを備える請求項１記載の装置。
【請求項１０】
前記増幅器回路に結合され、前記入力ＲＦ信号を受け取って減衰入力ＲＦ信号を前記増幅器回路に提供するように構成されている減衰回路をさらに具備する請求項１記載の装置。
【請求項１１】
前記入力ＲＦ信号は、シングルエンド信号を含み、
前記複数の出力ＲＦ信号のそれぞれは、差動信号を含む請求項１記載の装置。
【請求項１２】
前記トランスに結合され、前記入力ＲＦ信号または減衰された入力ＲＦ信号を受け取って第２の増幅されたＲＦ信号を提供するように構成されている第２の増幅器回路をさらに具備し、
前記増幅器回路は、前記第２の増幅器回路よりもより高い利得を有している請求項１記載の装置。
【請求項１３】
前記トランスに結合され、第２の入力ＲＦ信号を受け取って第２の増幅されたＲＦ信号を提供するように構成されている第２の増幅器回路をさらに具備する請求項１記載の装置。
【請求項１４】
方法において、
異なる周波数における複数の搬送波上で、ワイヤレスデバイスに送られる送信を含む入力無線周波数（ＲＦ）信号を増幅して、増幅されたＲＦ信号を取得することと、
１次コイルと複数の２次コイルとを備えるトランスにより、前記増幅されたＲＦ信号を変換して、複数の出力ＲＦ信号を取得することと、
前記複数の出力ＲＦ信号を、異なる周波数における複数の局部発振器（ＬＯ）信号によりダウンコンバートすることとを含む方法。
【請求項１５】
前記ダウンコンバートすることは、
第１の周波数における第１のＬＯ信号を使用して、第１の出力ＲＦ信号をミキサの第１のペアによりダウンコンバートすることと、
前記第１の周波数とは異なる第２の周波数における第２のＬＯ信号を使用して、第２の出力ＲＦ信号をミキサの第２のペアによりダウンコンバートすることとを含む請求項１４記載の方法。
【手続補正２】
【補正対象書類名】明細書
【補正対象項目名】００７５
【補正方法】変更
【補正の内容】
【００７５】
［００８１］
本開示の先の説明は、当業者が本開示を製造または使用することを可能にするために提供されている。本開示に対するさまざまな修正は、当業者にとって容易に明らかとなり、ここで定義される一般的な原理は、本開示の範囲から逸脱することなく他のバリエーションに適用してもよい。したがって、本開示は、ここで記述される例および設計に限定するように意図されておらず、ここで開示される原理および新規の特徴と一致して最も広い範囲が与えられるべきである。
以下に、本願出願の当初の特許請求の範囲に記載された発明を付記する。
［１］  装置において、
異なる周波数における複数の搬送波上で、ワイヤレスデバイスに送られる送信を含む入力無線周波数（ＲＦ）信号を受け取って増幅し、増幅されたＲＦ信号を提供するように構成されている増幅器回路と、
前記増幅器回路に結合された１次コイルおよび複数の２次コイルを備え、複数の出力ＲＦ信号を提供するトランスと、
前記複数の出力ＲＦ信号を、異なる周波数における複数の局部発振器（ＬＯ）信号によりダウンコンバートするように構成されている複数のダウンコンバータとを具備する装置。
［２］  前記トランスは、
第１および第２の出力ＲＦ信号をそれぞれ提供する、第１および第２の２次コイルを備える［１］記載の装置。
［３］  前記１次コイルは、
前記増幅されたＲＦ信号を受け取る第１の端と、電源に結合された第２の端とを有する［１］記載の装置。
［４］  前記１次コイルは、
前記増幅されたＲＦ信号を受け取るセンタータップと、電源に結合された２つの端とを有する［１］記載の装置。
［５］  前記複数の２次コイルは、
複数の導線により実現され、ぞれぞれの２次コイルに対して１つの導線であり、それぞれの導線は、前記複数の導線の中の残りの導線から電気的に分離されている［１］記載の装置。
［６］  前記複数のダウンコンバータのそれぞれは、
前記複数の出力ＲＦ信号のうちの１つと前記複数のＬＯ信号のうちの１つとを受け取り、１セットの搬送波に対して同位相（Ｉ）および直角位相（Ｑ）のダウンコンバートされた信号のペアを提供するように構成されているミキサのペアを備える［１］記載の装置。
［７］  前記複数のダウンコンバータは、
第１の出力ＲＦ信号を、第１の周波数における第１のＬＯ信号によりダウンコンバートするように構成されているミキサの第１のペアを含む第１のダウンコンバータと、
第２の出力ＲＦ信号を、前記第１の周波数とは異なる第２の周波数における第２のＬＯ信号によりダウンコンバートするように構成されているミキサの第２のペアを含む第２のダウンコンバータとを備える［１］記載の装置。
［８］  前記増幅器回路は、
前記入力ＲＦ信号を受け取るように構成されている利得トランジスタと、
前記利得トランジスタに結合され、前記増幅されたＲＦ信号を提供するように構成されているカスコードトランジスタと、
前記利得トランジスタのソースと回路グラウンドとの間に結合されているインダクタとを備える［１］記載の装置。
［９］  前記増幅器回路は、 
回路グラウンドに結合されたソースを有し、前記入力ＲＦ信号を受け取るように構成されている利得トランジスタと、
前記利得トランジスタに結合され、前記増幅されたＲＦ信号を提供するように構成されているカスコードトランジスタとを備える［１］記載の装置。
［１０］  前記増幅器回路の出力および入力の間に結合されているフィードバック回路をさらに具備する［１］記載の装置。
［１１］  前記フィードバック回路は、
抵抗器、キャパシタ、またはトランジスタのうちの少なくとも１つを備える［１０］記載の装置。
［１２］  前記増幅器回路に結合され、前記入力ＲＦ信号を受け取って減衰入力ＲＦ信号を前記増幅器回路に提供するように構成されている減衰回路をさらに具備する［１］記載の装置。
［１３］  前記入力ＲＦ信号は、
シングルエンド信号を含み、
前記複数の出力ＲＦ信号のそれぞれは、差動信号を含む［１］記載の装置。
［１４］  前記トランス回路に結合され、前記入力ＲＦ信号または減衰された入力ＲＦ信号を受け取って第２の増幅されたＲＦ信号を提供するように構成されている第２の増幅器回路をさらに具備し、
前記増幅器回路は、前記第２の増幅器回路よりもより高い利得を有している［１］記載の装置。
［１５］  前記トランス回路に結合され、第２の入力ＲＦ信号を受け取って第２の増幅されたＲＦ信号を提供するように構成されている第２の増幅器回路をさらに具備する［１］記載の装置。
［１６］  方法において、
異なる周波数における複数の搬送波上で、ワイヤレスデバイスに送られる送信を含む入力無線周波数（ＲＦ）信号を増幅して、増幅されたＲＦ信号を取得することと、
１次コイルおよび複数の２次コイルを備えるトランスにより、前記増幅されたＲＦ信号を変換して、複数の出力ＲＦ信号を取得することと、
前記複数の出力ＲＦ信号を、異なる周波数における複数の局部発振器（ＬＯ）信号によりダウンコンバートすることとを含む方法。
［１７］  前記ダウンコンバートすることは、
第１の周波数における第１のＬＯ信号を使用して、第１の出力ＲＦ信号をミキサの第１のペアによりダウンコンバートすることと、
前記第１の周波数とは異なる第２の周波数における第２のＬＯ信号を使用して、第２の出力ＲＦ信号をミキサの第２のペアによりダウンコンバートすることとを含む［１６］記載の方法。
［１８］  装置において、
異なる周波数における複数の搬送波上で、ワイヤレスデバイスに送られる送信を含む入力無線周波数（ＲＦ）信号を増幅して、増幅されたＲＦ信号を取得する手段と、
前記増幅されたＲＦ信号を変換して、複数の出力ＲＦ信号を取得する手段と、
前記複数の出力ＲＦ信号を、異なる周波数における複数の局部発振器（ＬＯ）信号によりダウンコンバートする手段とを具備する装置。
［１９］  前記ダウンコンバートする手段は、
第１の周波数における第１のＬＯ信号により、第１の出力ＲＦ信号をダウンコンバートする第１の手段と、
前記第１の周波数とは異なる第２の周波数における第２のＬＯ信号により、第２の出力ＲＦ信号をダウンコンバートする第２の手段とを備える［１８］記載の装置。